(57)【要約】【課題】ストッパが閉位置にロックされた状態でフック本体とハンドル間に隙間が発生せず、固定用構造物に確実に係止されるフックを提供する。【解決手段】フック本体１の基部１ａにストッパ２が取り付けられ、閉位置と開位置間を旋回する。ロック部材４がストッパに旋回可能に取り付けられる。ピン７がフック本体１に取り付けられ、ロック部材のスリット６内に挿入される。ストッパとロック部材がバネによって付勢され、ストッパはロック部材によって閉位置にロックされる。ハンドル８がフック本体に旋回可能に取り付けられる。ハンドル８の一対の第１の壁８ｃの内面に、ハンドルのフック本体から遠ざかる向きへの旋回を規制するハンドル旋回規制段部９と、ロック部材ガイド段部１０が設けられる。ハンドルがフック本体に向けて旋回すると、ロック部材ガイド段部によってロック部材が旋回し、ロック部材によるロックが解除される。【選択図】図１
0003185008.tif 000002
【実用新案登録請求の範囲】
【請求項１】
高所作業現場において使用される高所作業用安全帯の命綱の先端に備えられ、前記命綱を前記高所作業現場の固定用構造物に係止するためのフックであって、
鉤状のフック本体と、
レバー形状をなし、一端を第１のピンによって前記フック本体の基部に取り付けられて前記第１のピンのまわりに旋回可能とされ、前記フック本体の基部および先端間を閉じる閉位置と、前記閉位置から前記フック本体の内側に押し込まれて前記フック本体の基部および先端間を開く開位置をとるストッパと、
前記フック本体の基部付近において、一端を第２のピンによって前記ストッパに取り付けられて前記第２のピンのまわりに旋回可能とされ、他端が前記フック本体に向かってのびるロック部材を備え、
前記ロック部材の他端側には、前記ロック部材の長さ方向にのびる第１スリット部分と、前記第１スリット部分における前記ロック部材の他端側の端に接続し、前記第１スリット部分から前記ロック部材の幅方向に前記ストッパの先端に近づく向きにのびる第２スリット部分とからなるほぼＬ字状のスリットが設けられ、さらに、
前記フック本体の基部付近に取り付けられるとともに、前記ロック部材の前記スリット内に挿入された第３のピンを備え、前記第３のピンが前記第２スリット部分に位置するとき、前記ストッパが前記ロック部材によって前記閉位置にロックされるようになっており、さらに、
前記第２のピンに取り付けられるとともに、前記ストッパおよび前記ロック部材に作用し、前記ストッパを前記閉位置に向けて弾性付勢する一方、前記ロック部材を前記第３のピンが前記第２スリット部分に位置するように弾性付勢するバネと、
一側縁、他側縁を有するレバー形状をなし、前記フック本体の一部および前記ロック部材の一部および前記第３のピンと重なり合った状態で、一端を第４のピンによって前記フック本体の中間部に取り付けられて前記第４のピンのまわりに旋回可能とされ、他端が前記フック本体の基部までのびるハンドルと、を備え、
常時前記ハンドルの先端において前記ハンドルの前記一側縁と前記フック本体の基部が互いに重なり合い、さらに、
前記ハンドルの前記フック本体に対向する面には、前記ストッパが前記閉位置にロックされた状態で前記第３のピンの前記ロック部材から突出する部分における前記ハンドルの前記他側縁から遠ざかる側の側面領域に当接するハンドル旋回規制段部が突設されて、前記ハンドルの前記フック本体から遠ざかる向きへの旋回が規制されるようになっており、さらに、
前記ハンドルの前記フック本体に対向する面には、前記ロック部材の前記ストッパから遠ざかる側の側縁に当接するロック部材ガイド段部が突設されており、
前記ハンドルが前記フック本体に向けて旋回せしめられるとき、前記ロック部材が前記ロック部材ガイド段部によって前記ストッパに向けて押されて前記第３のピンが前記第１のスリット部分に進入することで、前記ロック部材によるロックが解除され、さらに、前記第３のピンが前記第１のスリット部分の範囲内を移動しつつ、前記ストッパが前記フック本体に向けて旋回せしめられることで前記ストッパが前記開位置をとるものであることを特徴とするフック。
【請求項２】
前記ストッパは、板体を折り曲げて断面をコ字状としたものからなり、前記フック本体の基部に外側から嵌め込まれた状態で、前記第１のピンによって前記基部に取り付けられ、
前記ロック部材は、板体を折り曲げて断面をコ字状としたものからなり、前記ロック部材の前記一端が前記ストッパの内側に嵌め込まれる一方、前記ロック部材の前記他端が前記フック本体に外側から嵌め込まれた状態で、前記第２のピンによって前記ストッパに取り付けられ、前記ロック部材の互いに対向する側壁にそれぞれ前記スリットが設けられ、
前記第３のピンは、前記フック本体および前記スリットのそれぞれを貫通してのび、
前記ハンドルは、それぞれ前記一側縁および前記他側縁を有し、互いに平行な細長い一対の第１の壁と、前記一対の第１の壁の前記他側縁同士を接続する第２の壁と、からなり、前記第２の壁の内面が前記ストッパに対向しかつ前記一対の第１の壁の間の隙間に前記フック本体の一部および前記ロック部材の一部および前記第３のピンが挿入された状態で、前記第４のピンによって前記フック本体の中間部に取り付けられ、前記一対の第１の壁のそれぞれの内面に、前記ハンドル旋回規制段部および前記ロック部材ガイド段部が設けられていることを特徴とする請求項１に記載のフック。
【考案の詳細な説明】
【技術分野】
【０００１】
本考案は、建築現場等の高所作業現場において使用される高所作業用安全帯、特に、その命綱の先端に備えられ、命綱を高所作業現場の固定用構造物に係止するために使用されるフックに関するものである。
【背景技術】
【０００２】
従来のこの種のフックとして、例えば、特許文献１に記載されたようなものがある。
図３は、この従来のフックの平面図であり、（Ａ）はフックのストッパが閉位置にある状態を示し、（Ｂ）はフックのストッパが開位置にある状態を示している。
図３に示すように、このフックは、鉤状の本体２０を有し、本体２０の基部２０ａに形成された命綱連結孔２９に、高所作業用安全帯に備えられた命綱の先端が連結されるようになっている。
【０００３】
本体２０の基部２０ａには、また、断面がコ字状のレバー形状をなすストッパ２１が、本体２０の基部２０に外側から嵌め込まれた状態で、一端２１ａを第１のピン２２によって取り付けられて第１のピン２２のまわりに旋回可能とされ、そして、ストッパ２１は、本体２０の基部２０ａおよび先端２０ｂ間を閉じる閉位置（図３（Ａ）参照）と、閉位置から本体２０の内側に押し込まれて本体２０の基部２０ａおよび先端２０ｂ間を開く開位置（図３（Ｂ）参照）をとるようになっている。
【０００４】
また、本体２０の基部２０ａ付近には、ロック部材２３が取り付けられている。ロック部材２３は、コ字状の断面を有し、一端がストッパ２１の内側に嵌め込まれる一方、他端が本体２０に外側から嵌め込まれた状態で、その一端を第２のピン２４によってストッパ２１に取り付けられて第２のピン２４のまわりに旋回可能になっている。
【０００５】
ロック部材２３の互いに対向する側壁の他端側には、ロック部材２３の長さ方向にのびる第１スリット部分と、第１スリット部分からロック部材２３の幅方向にストッパ２１の先端２１ｂに近づく向きにのびる第２スリット部分とからなるほぼＬ字状のスリット２５が設けられている。さらに、本体２０の基部２０ａ付近には第３のピン２６が取り付けられ、スリット２５内に挿入されている。
【０００６】
図示はしないが、第２のピン２４には、バネが取り付けられ、ストッパ２１およびロック部材２３に作用し、ストッパ２１を閉位置に向けて弾性付勢する一方、ロック部材２３を第３のピン２６がスリット２５の第２スリット部分に位置するように弾性付勢し、それによって、ストッパ２１は、常時、ロック部材２３によって閉位置にロックされるようになっている。
【０００７】
また、断面がコ字状のハンドル２７が、その内側空間に本体２０の一部、ロック部材２３の一部および第３のピン２６が挿入された状態で、一端２７ａを第４のピン２８によって本体２０の中間部に取り付けられて第４のピン２８のまわりに旋回可能になっている。
さらに、図示はしないが、ハンドル２７の内側面には、ロック部材２３のストッパ２１から遠ざかる側の側縁に当接する隆起が設けられている。
【０００８】
そして、ハンドル２７が本体２０に向けて旋回せしめられると、ロック部材２３がハンドル２７の隆起によってストッパ２１に向けて押されて第３のピン２３がスリット２５の第２のスリット部分から第１のスリット部分に進入し、ロック部材２３によるロックが解除され、さらに、第３のピン２３が第１のスリット部分の範囲内を移動しつつ、ストッパ２１が本体２０に向けて旋回せしめられることでストッパ２１が開位置をとる。
開位置において、本体２０が高所作業現場の固定用構造物に引っ掛けられ、その後、ハンドル２７が開放される。それによって、ハンドル２７は閉位置に戻り、ロック部材２３によってロックされ、フックが固定用構造物に係止される。
【０００９】
しかしながら、この構成によれば、ストッパ２１が閉位置にロックされた状態で、ハンドル２７の取付部には一定の遊びがあり、そのためハンドル２７は本体２０から遠ざかる向きに旋回し得るので、偶発的にハンドル２７の他端２７ｂと本体２０の基部２０ａとの間に生じた楔状の隙間に命綱や固定用構造物の突起等が挟まり、その後、命綱が引っ張られることによって、図３（Ｃ）に示すように、ハンドル２７が本体２０から遠ざかる向きに第３のピン２６が露出するまで大きく旋回し、それによって、第３のピン２６が抜け落ち、あるいはハンドル２７が破損することによって、フックが固定用構造物から外れてしまうおそれがあった。
【先行技術文献】
【特許文献】
【００１０】
【特許文献１】特許第３２８７９１８号公報
【考案の概要】
【考案が解決しようとする課題】
【００１１】
したがって、本考案の課題は、ストッパが閉位置にロックされた状態でフック本体とハンドル間に楔状の隙間が発生せず、固定用構造物に確実に係止されるフックを提供することにある。
【課題を解決するための手段】
【００１２】
上記課題を解決するため、本考案は、高所作業現場において使用される高所作業用安全帯の命綱の先端に備えられ、前記命綱を前記高所作業現場の固定用構造物に係止するためのフックであって、鉤状のフック本体と、レバー形状をなし、一端を第１のピンによって前記フック本体の基部に取り付けられて前記第１のピンのまわりに旋回可能とされ、前記フック本体の基部および先端間を閉じる閉位置と、前記閉位置から前記フック本体の内側に押し込まれて前記フック本体の基部および先端間を開く開位置をとるストッパと、前記フック本体の基部付近において、一端を第２のピンによって前記ストッパに取り付けられて前記第２のピンのまわりに旋回可能とされ、他端が前記フック本体に向かってのびるロック部材を備え、前記ロック部材の他端側には、前記ロック部材の長さ方向にのびる第１スリット部分と、前記第１スリット部分における前記ロック部材の他端側の端に接続し、前記第１スリット部分から前記ロック部材の幅方向に前記ストッパの先端に近づく向きにのびる第２スリット部分とからなるほぼＬ字状のスリットが設けられ、さらに、前記フック本体の基部付近に取り付けられるとともに、前記ロック部材の前記スリット内に挿入された第３のピンを備え、前記第３のピンが前記第２スリット部分に位置するとき、前記ストッパが前記ロック部材によって前記閉位置にロックされるようになっており、さらに、
前記第２のピンに取り付けられるとともに、前記ストッパおよび前記ロック部材に作用し、前記ストッパを前記閉位置に向けて弾性付勢する一方、前記ロック部材を前記第３のピンが前記第２スリット部分に位置するように弾性付勢するバネと、一側縁、他側縁を有するレバー形状をなし、前記フック本体の一部および前記ロック部材の一部および前記第３のピンと重なり合った状態で、一端を第４のピンによって前記フック本体の中間部に取り付けられて前記第４のピンのまわりに旋回可能とされ、他端が前記フック本体の基部までのびるハンドルと、を備え、常時前記ハンドルの先端において前記ハンドルの前記一側縁と前記フック本体の基部が互いに重なり合い、さらに、前記ハンドルの前記フック本体に対向する面には、前記ストッパが前記閉位置にロックされた状態で前記第３のピンの前記ロック部材から突出する部分における前記ハンドルの前記他側縁から遠ざかる側の側面領域に当接するハンドル旋回規制段部が突設されて、前記ハンドルの前記フック本体から遠ざかる向きへの旋回が規制されるようになっており、さらに、前記ハンドルの前記フック本体に対向する面には、前記ロック部材の前記ストッパから遠ざかる側の側縁に当接するロック部材ガイド段部が突設されており、前記ハンドルが前記フック本体に向けて旋回せしめられるとき、前記ロック部材が前記ロック部材ガイド段部によって前記ストッパに向けて押されて前記第３のピンが前記第１のスリット部分に進入することで、前記ロック部材によるロックが解除され、さらに、前記第３のピンが前記第１のスリット部分の範囲内を移動しつつ、前記ストッパが前記フック本体に向けて旋回せしめられることで前記ストッパが前記開位置をとるものであることを特徴とするフックを構成したものである。
【００１３】
上記構成において、好ましくは、前記ストッパは、板体を折り曲げて断面をコ字状としたものからなり、前記フック本体の基部に外側から嵌め込まれた状態で、前記第１のピンによって前記基部に取り付けられ、前記ロック部材は、板体を折り曲げて断面をコ字状としたものからなり、前記ロック部材の前記一端が前記ストッパの内側に嵌め込まれる一方、前記ロック部材の前記他端が前記フック本体に外側から嵌め込まれた状態で、前記第２のピンによって前記ストッパに取り付けられ、前記ロック部材の互いに対向する側壁にそれぞれ前記スリットが設けられ、前記第３のピンは、前記フック本体および前記スリットのそれぞれを貫通してのび、前記ハンドルは、それぞれ前記一側縁および前記他側縁を有し、互いに平行な細長い一対の第１の壁と、前記一対の第１の壁の前記他側縁同士を接続する第２の壁と、からなり、前記第２の壁の内面が前記ストッパに対向しかつ前記一対の第１の壁の間の隙間に前記フック本体の一部および前記ロック部材の一部および前記第３のピンが挿入された状態で、前記第４のピンによって前記フック本体の中間部に取り付けられ、前記一対の第１の壁のそれぞれの内面に、前記ハンドル旋回規制段部および前記ロック部材ガイド段部が設けられている。
【考案の効果】
【００１４】
本考案によれば、常時ハンドルの先端においてハンドルの一側縁とフック本体の基部が互いに重なり合うようにするとともに、ハンドルにおけるフック本体に対向する面に、ストッパが閉位置にロックされた状態で第３のピンのロック部材から突出する部分におけるハンドルの他側縁から遠ざかる側の側面領域に当接するハンドル旋回規制段部を設けて、ストッパが閉位置にロックされた状態でのハンドルのフック本体から遠ざかる向きへの旋回を規制するようにしたので、ストッパが閉位置にロックされた状態でフック本体およびハンドル間に命綱や固定用構造物の突起が挟まれる隙間は全く生じない。それによって、フックが偶発的に固定用構造物から外れてしまうことが確実に防止される。
【図面の簡単な説明】
【００１５】
【図１】本考案の１実施例による高所作業用安全帯のフックを示す図であり、（Ａ）はフックのストッパが閉位置にある状態の平面図であり、（Ｂ）はフックのハンドルを縦方向に２分割した縦断面図である。
【図２】図１に示したフックの平面図であり、（Ａ）はストッパのロックが解除された状態を示し、（Ｂ）はストッパが開位置にある状態を示している。
【図３】高所作業用安全帯のフックの従来例を示す図であり、（Ａ）はストッパが閉位置にある状態を示す平面図であり、（Ｂ）はストッパが開位置にある状態を示す平面図であり、（Ｃ）はハンドルがフック本体から遠ざかる向きに旋回した状態を示す斜視図である。
【考案を実施するための形態】
【００１６】
以下、本考案の好ましい実施例を図面を参照しつつ説明する。図１は、本考案の１実施例による高所作業用安全帯のフックを示す図であり、（Ａ）はフックのストッパが閉位置にある状態の平面図であり、（Ｂ）はフックのハンドルを縦方向に２分割した縦断面図である。また、図２は、図１に示したフックの平面図であり、（Ａ）はフックのストッパのロックが解除された状態を示し、（Ｂ）はフックのストッパが開位置にある状態を示している。なお、図１（Ａ）および図２では、ハンドルの壁の一部を破断して描いている。
【００１７】
図１および図２を参照して、本考案による高所作業用安全帯のフックは、金属板から形成された鉤状のフック本体１を備えており、フック本体１の基部１ａに形成された命綱連結孔１２に、高所作業用安全帯に備えられた命綱の先端が連結されるようになっている。
フック本体１の基部１ａには、レバー形状をなすストッパ２が取り付けられている。ストッパ２は、金属板を折り曲げて断面をコ字状としたものからなり、フック本体１の基部１ａに外側から嵌め込まれた状態で、その一端２ａを第１のピン３によって基部１ａに取り付けられて第１のピン３のまわりに旋回可能になっている。そして、ストッパ２は、フック本体１の基部１ａおよび先端１ｂ間を閉じる閉位置（図１（Ａ）参照）と、閉位置からフック本体１の内側に押し込まれてフック本体１の基部１ａおよび先端１ｂ間を開く開位置（図２（Ｂ）参照）をとる。図１（Ａ）から明らかなように、閉位置では、フック本体の先端は、ストッパ２の他端（先端）２ｂの互いに対向する側壁間に挿入されるようになっている。
【００１８】
また、フック本体１の基部１ａ付近には、ロック部材４が取り付けられている。ロック部材４は、ストッパ２と同様、金属板を折り曲げて断面をコ字状としたものからなり、一端４ａがストッパ２の内側に嵌め込まれる一方、他端４ｂがフック本体１に外側から嵌め込まれた状態で、一端４ａを第２のピン５によってストッパ２に取り付けられて第２のピン５のまわりに旋回可能になっている。
【００１９】
ロック部材４の他端４ｂ側の互いに対向する壁面には、それぞれ、ロック部材４の長さ方向にのびる第１スリット部分６ａと、第１スリット部分６ａにおけるロック部材４の他端４ｂ側の端に接続し、第１スリット部分６ｂからロック部材４の幅方向にストッパ２の先端２ａに近づく向きにのびる第２スリット部分６ｂとからなるほぼＬ字状のスリット６が設けられている。
【００２０】
また、フック本体１の基部１ａ付近には第３のピン７が取り付けられている。第３のピン７は、フック本体を貫通してのびるとともに、ロック部材４の各スリット６内に挿入されている。そして、第３のピン７が第２スリット部分６ｂに位置するとき、ストッパ２がロック部材６によって閉位置にロックされる。
【００２１】
図示はしないが、第２のピン５にはバネ８が取り付けられ、このバネ８は、ストッパ２およびロック部材４に作用し、ストッパ２を閉位置に向けて弾性付勢する一方、ロック部材４を第３のピン７が第２スリット部分６ｂに位置するように弾性付勢している。
【００２２】
さらに、断面がコ字状のハンドル８が、フック本体１の中間部に取り付けられている。ハンドル８は、それぞれ一側縁および他側縁を有し、互いに平行な細長い一対の第１の壁８ｃと、一対の第１の壁８ｃの他側縁同士を接続する第２の壁８ｄからなっており、一端８ａ側に、一対の第１の壁８ｃに貫通形成された一対の取付穴８ｅを有している。
そして、ハンドル８は、第２の壁８ｄの内面がストッパ２に対向しかつ一対の第１の壁８ｃの間の隙間にフック本体１の一部およびロック部材４の一部および第３のピン７が挿入された状態で、取付穴８ｅを貫通する第４のピン１１によってフック本体１に取り付けられて第４のピン１１のまわりに旋回可能になっている。ハンドル８の他端（先端）８ｂはフック本体１の基部１ａまでのびている。ハンドル８の他端（先端）８ｂは、常時当該他端（先端）８ｂにおいて一対の第１の壁８ｃの一側縁とフック本体１の基部１ａとが互いに重なり合うような形状を有している。
【００２３】
ハンドル８の一対の第１の壁８ｃの内面には、一対の第１の壁８ｃ間の隙間内に突出するとともに、ストッパ２が閉位置にロックされた状態で第３のピン７のロック部材４から突出する部分の第２の壁８ｄから遠ざかる側の側面領域に当接するハンドル旋回規制段部９が設けられている。このハンドル旋回規制段部９によって、ハンドル８のフック本体１から遠ざかる向きへの旋回が規制される。
さらに、ハンドル８の一対の第１の壁８ｃの内面には、前記隙間内に突出するとともに、ロック部材４のストッパ２から遠ざかる側の側縁に当接するロック部材ガイド段部１０が設けられている。
【００２４】
そして、ハンドル８およびストッパ２が使用者の手で握られた状態で、ハンドル８がフック本体１に向けて旋回せしめられると、ロック部材４がハンドル８のロック部材ガイド段部１０によってストッパ２に向けて押されて第３のピン７が第２スリット部分６ｂから第１スリット部分６ａに進入し、それによってロック部材４によるロックが解除され、さらに、第３のピン７が第１スリット部分６ａの範囲内を移動しつつ、ストッパ２がフック本体１に向けて旋回せしめられ、ストッパ２が開位置をとる。
開位置において、フック本体１が高所作業現場の固定用構造物に引っ掛けられ、その後、ストッパ２およびハンドル８が開放される。それによって、ストッパ２が閉位置に戻り、ロック部材４によってロックされ、フックが固定用構造物に係止される。
【００２５】
こうして、ハンドル８の一対の第１の壁８ｃの内面に、それぞれ、ハンドル旋回規制段部９を設けて、ストッパ２が閉位置にロックされた状態でのハンドル８のフック本体１から遠ざかる向きへの旋回を規制するとともに、常時ハンドル８の先端において一対の第１の壁８ｃの一側縁とフック本体１の基部１ａが互いに重なり合うようにしたので、ストッパ２が閉位置にロックされた状態でフック本体１およびハンドル８間に命綱や固定用構造物の突起が挟まれる隙間は全く生じることがなく、よって、フックが偶発的に固定用構造物から外れてしまうことが確実に防止される。
【００２６】
以上、本考案の構成を好ましい１実施例に基づいて説明したが、本考案の構成は上記実施例に限定されるものではなく、実用新案登録請求の範囲に記載した構成の範囲内において種々の変形例を案出することができることは言うまでもない。
例えば、上記実施例では、ストッパ、ロック部材およびハンドルを、いずれも断面がコ字状の部材としてフックを構成したが、ストッパ、ロック部材およびハンドルをすべて平坦な板状の部材としてフックを構成することもできる。
【符号の説明】
【００２７】
１  フック本体
１ａ  基部
１ｂ  先端
２  ストッパ
２ａ  一端
２ｂ  他端
３  第１のピン
４  ロック部材
４ａ  一端
４ｂ  他端
５  第２のピン
６  スリット
６ａ  第１スリット部分
６ｂ  第２スリット部分
７  第３のピン
８  ハンドル
８ａ  一端
８ｂ  他端
８ｃ  第１の壁
８ｄ  第２の壁
８ｅ  取付穴
９  ハンドル旋回規制段部
１０  ロック部材ガイド段部
１１  第４のピン
１２  命綱連結孔
２０  本体
２０ａ  基部
２０ｂ  先端
２１  ストッパ
２１ａ  一端
２１ｂ  他端
２２  第１のピン
２３  ロック部材
２４  第２のピン
２５  スリット
２６  第３のピン
２７  ハンドル
２７ａ  一端
２７ｂ  他端
２８  第４のピン
２９  命綱連結孔
【図１】
0003185008.tif 000003
【図２】
0003185008.tif 000004
【図３】
0003185008.tif 000005